(57)【要約】【課題】耕耘機の抵抗棒と移動用車輪とを簡易に切り換える。【解決手段】作業用ハンドル（１４）を備えた耕耘機において、耕耘機の機体（１）に固定された抵抗棒（１０）の接地部近傍にアーム（１３）が一体的に固定され、このアーム（１３）に移動用車輪（１４）が支持される。作業用ハンドル（１４）を下側に傾け、耕耘機の機体（１）を傾斜させることで抵抗棒（１０）を使用した耕耘作業から移動用車輪（１４）を使用した移動作業に速やかに移行することができる。【選択図】　　　図１
2004097150.tif 000002
【特許請求の範囲】
【請求項１】
作業用ハンドルを備えた耕耘機において、耕耘機の機体に固定された抵抗棒の接地部近傍にアームが一体的に固定され、このアームに移動用車輪が支持され、作業用ハンドルを下側に傾けることにより移動用車輪を使用する耕耘機の移動用作業に切り換え可能に形成したことを特徴とする耕耘機。
【請求項２】
請求項１に記載の耕耘機において、アームに移動用車輪の土落とし部が設けられたことを特徴とする耕耘機。
【請求項３】
請求項１又は請求項２に記載の耕耘機において、抵抗棒又はアームに移動用車輪の土よけガードが取り付けられたことを特徴とする耕耘機。
【発明の詳細な説明】
【０００１】
【発明の属する技術分野】
本発明は、移動用車輪を備えた耕耘機に関する。
【０００２】
【従来の技術】
【特許文献１】実開昭５９−１７８００３号公報
【特許文献２】特開平８−２２４００１号公報
【特許文献３】実開昭５８−１４６４０５号公報
【特許文献３】の耕耘機は抵抗棒を備えるだけであるから、耕耘機を移動させる場合は、抵抗棒を外して移動用車輪と付け換える必要がある。このような不便を解消するため、
【特許文献１】及び
【特許文献２】の耕耘機は、抵抗棒と移動用車輪の双方を最初から備えている。
【特許文献１】の耕耘機は、耕耘機の機体にアームを介して移動用車輪を連結し、アームにピン等を介して抵抗棒を連結するようになっている。また、
【特許文献２】の耕耘機は、移動用車輪を保持するアームと抵抗棒とが一本の回転フレームとして形成され、回転フレームが垂直面上で回転可能に機体に支持される。移動用車輪と抵抗棒のいずれか一方を下に向けて回転フレームを規制ピンで機体に固定することにより、移動用車輪で耕耘機を移動させ又は抵抗棒で地面を耕耘することができる。
【０００３】
【発明が解決しようとする課題】
【特許文献１】の耕耘機は、移動用車輪を支持するアームに抵抗棒を揺動自在にピン結合しているので、大きな負荷に対して脆弱であり、移動用車輪を使用して耕耘機を前進させる時に抵抗棒が作用し、耕耘機の移動作業が難しいという問題がある。また、部品点数が多いという問題がある。また、
【特許文献２】の耕耘機は、回転フレームを機体にピン結合するので、大きな負荷に対して脆弱であり、また、抵抗棒と移動用車輪を切り換える際に規制ピンを抜いたり挿したりする必要があり、切り替え作業が面倒である。さらに、
【特許文献１】、
【特許文献２】のいずれの耕耘機も移動用車輪に圃場の土が付着しやすく、その除去作業に手間がかかるという問題がある。
【０００４】
【課題を解決するための手段】
上記問題点を解決するため、請求項１の発明は、作業用ハンドル（７）を備えた耕耘機において、耕耘機の機体（１）に固定された抵抗棒（１０）の接地部近傍にアーム（１３）が一体的に固定され、このアーム（１３）に移動用車輪（１４）が支持され、作業用ハンドル（７）を下側に傾けることにより移動用車輪（１４）を使用する耕耘機の移動用作業に切り換え可能に形成した耕耘機を採用する。
【０００５】
また、請求項２の発明は、請求項１に記載の耕耘機において、アーム（１３）に移動用車輪（１４）の土落とし部（１６）が設けられた耕耘機を採用する。
【０００６】
また、請求項３に係る発明は、請求項１又は請求項２に記載の耕耘機において、抵抗棒（１０）又はアーム（１３）に移動用車輪（１４）の土よけガード（１５）が取り付けられた耕耘機を採用する。
【０００７】
【発明の実施の形態】
次に、本発明の実施の形態を図面を参照して説明する。
【０００８】
図１に示すように、この耕耘機の機体１は、垂直方向に伸びる基台２を備え、この基台２の上に駆動源であるエンジン３を有し、基台２の下に耕耘のためのロータ４を有する。エンジン３の出力は基台２内に収納された図示しない伝動装置を介してロータ４に伝達され、ロータ４が回転して耕耘を行う。
【０００９】
機体１には機体後方に突出する接続バー５が連結され、この接続バー５に関節６を介して作業用ハンドル７が折り畳み可能に連結される。接続バー５は、機体１の後部から斜め上方に伸び、下端を基台２に連結され、中途を後述するブラケット８に把持される。作業用ハンドル７は、パイプ材を略Ｕ字形に屈曲させた構造である。また、基台２には必要に応じて補助ハンドル１７が固定される。
【００１０】
基台２の上部はエンジン３の減速機を収納するギアケース２ａとして形成され、図５に示すように、このギアケース２ａの後部にブラケット８が連結ボルト９とナット９ａによりほぼ水平に連結される。ブラケット８と接続バー５は溶接等により強固に接合される。図１に示すように、ブラケット８の後部は接続バー５の下方へと伸び、図５にも示すようにその後端には抵抗棒１０の挿入筒８ａが形成される。抵抗棒１０はブラケット８の挿入筒８ａに挿入されたうえで、平頭の連結ピン１１とスナップリング１１ａとにより着脱可能に連結される。もちろん連結ピン１１等に代えてボルト・ナット等他の連結手段を用いることも可能である。挿入筒８ａと抵抗棒１０には連結ピン１１の挿入穴１２ａ，１２ｂが上下に複数個形成され、連結ピン１１を差し替えることで抵抗棒１０のブラケット８下に延びる長さを加減することができる。つまり、作業者が好みに合わせて作業用ハンドル７の高さを調整することができる。
【００１１】
図１ないし図３に示すように、抵抗棒１０の接地部近傍には、フォーク状のアーム１３が一体的に固定され、このアーム１３に移動用車輪１４が支持される。アーム１３は耕耘機が耕耘状態にあるときに地面に対して角度γだけ上方向に傾斜するように設けられ、移動用車輪１４は抵抗棒１０の下端から移動用車輪１４の下端に向かう接線が地面に対し角度δだけ上方向に傾斜すると共に下端が地面から高さｈだけ浮上するようにアーム１３に保持される。角度γは例えば２０°程度、角度δは例えば１９°程度、高さｈは例えば３５ｍｍ程度にそれぞれ設定される。
【００１２】
アーム１３は、細長い金属プレートを略Ｕ字形に屈曲して形成され、移動用車輪１４をその直径上で挟み込み、中間部で移動用車輪１４の車軸１４ａを保持する。移動用車輪１４は車軸１４ａ上で回転可能である。
【００１３】
このように移動用車輪１４を設けることにより、抵抗棒１０を使用する耕耘作業と移動用車輪を使用する移動作業の切り換えが作業ハンドル７を上下動させるだけで可能となる。また、移動用車輪１４を支持するアーム１３が抵抗棒１０に固定され一体化されたことにより、移動用車輪１４の周辺の強度が高められる。
【００１４】
このアーム１３は、望ましくは後述する土よけガード１５を介して抵抗棒１０に固定されるが、抵抗棒１０に直に固定することもできる。
【００１５】
抵抗棒１０は金属製の丸棒を折り曲げることにより形成され、ブラケット８の近くに第一の折曲部ａを有し、接地部近くに第二の折曲部ｂを有し、折曲部ａ，ｂを境に上部１０ａ、中間部１０ｂ、下部１０ｃに分かたれる。上部１０ａは、図１に示すように耕耘機が耕耘姿勢にあるときに地面に対して垂直に伸び、中間部１０ｂは上部１０ａに対して耕耘機の後方へ角度γだけ傾斜して伸び、下部１０ｃは中間部１０ｂに対して耕耘機の後方へ角度βだけ傾斜して伸び、この結果下部１０ｃは地面に対して角度αだけ傾斜する。角度α、β、γは例えばそれぞれ３０°、４０°、２０°に設定される。抵抗棒１０の中間部１０ｂの傾斜角度γはアーム１３が抵抗棒１０の中間部１０ｂに直角に固定されることからアーム１３の傾斜角度γに等しい。このように抵抗棒１０に各種折曲部ａ，ｂが設けられることにより、抵抗棒１０は地面に対して耕耘機の後方側へ傾斜し、そのため耕耘作業に際し耕耘機が前進する時の抵抗力が緩和される。
【００１６】
図１ないし図３に示すように、上記アーム１３には移動用車輪１４の土落とし部１６が設けられる。すなわち、土落とし部１６は、上記略Ｕ字形に屈曲したアーム１３の後端で形成される。アーム１３の後端が移動用車輪１４の外周部を取り囲み、移動用車輪１４が回転する際に移動用車輪１４に付着した土を掻き落とす。これにより、抵抗棒１０を用いた耕耘作業時や移動用車輪１４による耕耘機の移動時に移動用車輪１４への土の付着が少なくなり、土落とし作業が省略され或いは簡易化される。
【００１７】
図１ないし図４に示すように、抵抗棒１０の中間部１０ｂには移動用車輪１４の土よけガード１５が取り付けられる。土よけガード１５は、金属板を略Ｖ字形に折り曲げてなるもので、Ｖ字溝内に抵抗棒１０の中間部１０ｂを挟み込み耕耘機の後方に向かって開くように抵抗棒１０に被せられる。土よけガード１５は移動用車輪１４の前方を覆う程度の大きさで設けられる。土よけガード１５は望ましくは溶接等により抵抗棒１０に固定される。
【００１８】
このように土よけガード１５が設けられることにより、移動用車輪１４への土の付着が適正に防止され、耕耘作業と移動作業との切り換えが迅速化される。また、この土よけガード１５は土落とし部１６の作用と相俟って抵抗棒１０を使用した耕転作業時に移動用車輪１４に付着する土を低減し、土落とし作業をほとんど無用とする。
【００１９】
なお、土よけガード１５は、上記アーム１３を抵抗棒１０に直結し、このアーム１３に対して取り付けるようにしてもよい。
【００２０】
次に、上記構成の耕耘機の作用について説明する。
【００２１】
図１に示す状態でエンジン３を始動させロータ４を回転させると、耕耘機は地面上を前進する。作業者は作業用ハンドル７を操作して耕耘機を操縦する。耕耘機の前進中、抵抗棒１０が地面に突き刺さり前進に対する抵抗力を与えるので、ロータ４は回転しつつ地面を深く掘り返す。
【００２２】
抵抗棒１０は地面に対して耕耘機の後方側へ傾斜し、そのため耕耘作業に際し耕耘機が前進する時の抵抗力が耕耘に支障を来たさない程度に緩和される。
【００２３】
抵抗棒１０を使用する耕耘作業から、移動用車輪１４を使用する耕耘機の移動作業に切り換えるには、作業用ハンドル７を持って耕耘機を傾け、ロータ４を地面から浮上させ移動用車輪１４を接地させる。そのまま耕耘機を前進又は後進させることにより、耕耘機を所望の場所へと簡易に移動させることができる。
【００２４】
この耕耘機による耕耘作業において、土が移動用車輪１４に付着しようとするが、土落とし部１６が移動用車輪１４から土を除去する。これにより、土落とし作業が省略ないし簡易化され、耕耘作業と移動作業との切り換えが迅速に行われる。
【００２５】
また、耕耘作業において、土が移動用車輪１４に付着しようとするが、土よけガード１５が移動用車輪１４への土の付着を阻止する。これにより、移動用車輪１４を直ちに使用して耕耘機を円滑に移動させることができる。
【００２６】
なお、上記実施の形態において、角度α、β、γ、δ、高さｈは上記の数値に限定されるものではなく、移動用車輪１４の大きさ、耕耘条件等の相違によって適宜変更することが可能である。また、土よけガード１５を介して土落とし部１６を設けたが土落とし部１６を直接抵抗棒１０に取り付けることも可能であり、土よけガード１５を土落とし部１６に取り付けることも可能である。
【００２７】
【発明の効果】
請求項１に係る発明によれば、作業用ハンドルを備えた耕耘機において、耕耘機の機体に固定された抵抗棒の接地部近傍にアームが一体的に固定され、このアームに移動用車輪が支持され、作業用ハンドルを下側に傾けることにより、移動用車輪を使用した移動作業に切り換え可能に形成した耕耘機であるから、抵抗棒を使用する耕耘作業と移動用車輪を使用する耕耘機の移動作業の切り換えを耕耘機を傾けるのみの簡易な操作で行うことができる。また、移動用車輪を支持するアームを抵抗棒に固定し一体化したことにより移動用車輪周辺の強度を高めることができ、部品点数を減らしてコストを低減することができる。
【００２８】
請求項２に係る発明によれば、請求項１に記載の耕耘機において、アームに移動用車輪の土落とし部が設けられた耕耘機であるから、抵抗棒を用いた耕耘作業時に移動用車輪への土の付着が少なくなり、土落とし作業が簡易化される。従って、耕耘作業と移動作業との切り換えをより素早く行うことができる。
【００２９】
請求項３に係る発明によれば、請求項１又は請求項２に記載の耕耘機において、抵抗棒又はアームに移動用車輪の土よけガードが取り付けられた耕耘機であるから、移動用車輪への土の付着がより確実に防止される。従って、耕耘作業と移動作業との切り換えをより迅速に行うことができる。
【図面の簡単な説明】
【図１】本発明に係る耕耘機の正面図である。
【図２】図１中、移動用車輪を備えた抵抗棒の正面図である。
【図３】図２中、ＩＩＩ−ＩＩＩ線矢視断面図である。
【図４】図２中、ＩＶ方向矢視図である。
【図５】図１中、Ｖ−Ｖ線矢視断面図である。
【符号の説明】
１…機体
１０…抵抗棒
１３…アーム
１４…移動用車輪
１５…土よけガード
１６…土落とし部
【図１】
2004097150.tif 000003
【図２】
2004097150.tif 000004
【図３】
2004097150.tif 000005
【図４】
2004097150.tif 000006
【図５】
2004097150.tif 000007